【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
撮像装置であって、
位相差方式の焦点位置検出装置、
を備え、
前記焦点位置検出装置は、
第１の測距センサ対と第２の測距センサ対とを含む複数の測距センサ対と、
前記第１の測距センサ対のうちの一方の測距センサに対応する位置に設けられた第１のモニタセンサと、
を有し、
前記複数の測距センサ対の受光素子は複数回の露光動作を実行し、
前記第１の測距センサ対の受光素子における前記複数回の露光動作の露光時間は、それぞれ、前記第１のモニタセンサの出力値に基づいて制御され、
前記第２の測距センサ対の受光素子における第１回目の露光動作の露光時間は、前記第１のモニタセンサの出力値に基づいて制御され、
前記第２の測距センサ対の受光素子における第（ｍ＋１）回目（ただし、ｍは或る自然数）の露光動作の露光時間は、第ｍ回目の露光動作における前記第２の測距センサ対の受光素子の出力値に基づいて制御される、撮像装置。
【請求項２】
請求項１に記載の撮像装置において、
前記第１の測距センサ対の受光素子における前記複数回の露光動作は、それぞれ、前記第１のモニタセンサの出力値が所定値に到達したことに応答して終了し、
前記第２の測距センサ対の受光素子における第１回目の露光動作は、前記第１のモニタセンサの出力値が前記所定値に到達したことに応答して終了し、
前記第２の測距センサ対の受光素子における第（ｍ＋１）回目の露光動作の露光時間は、第ｍ回目の露光動作における前記第２の測距センサ対の受光素子の出力値に基づいて決定される、撮像装置。
【請求項３】
請求項２に記載の撮像装置において、
前記第２の測距センサ対の受光素子における第（ｍ＋１）回目の露光動作の露光時間は、第ｍ回目の露光動作における前記第２の測距センサの出力値と第ｍ回目の露光動作における前記第１の測距センサの出力値とに基づいて決定される、撮像装置。
【請求項４】
請求項２に記載の撮像装置において、
前記第１の測距センサ対の受光素子における第ｎ回目（ただし、ｎは、ｎ＞１、を満たす或る自然数）の露光動作の露光時間と前記第１の測距センサ対の受光素子における第（ｎ−１）回目の露光動作の露光時間とが所定程度よりも大きく異なる場合には、前記第２の測距センサ対の受光素子における第（ｎ＋１）回目の露光動作の露光時間は、前記第１の測距センサ対の受光素子における第ｎ回目の露光動作の露光時間に設定される、撮像装置。
【請求項５】
請求項２に記載の撮像装置において、
前記第１の測距センサ対の受光素子における第ｎ回目（ただし、ｎは、ｎ＞１、を満たす或る自然数）の露光動作の露光時間と前記第１の測距センサ対の受光素子における第（ｎ−１）回目の露光動作の露光時間とが所定程度よりも大きく異なる場合には、前記第２の測距センサ対の受光素子における第（ｎ＋１）回目の露光動作は、第（ｎ＋１）回目の露光動作における前記第１のモニタセンサの出力値が前記所定値に到達したことに応答して終了する、撮像装置。
【請求項６】
請求項１に記載の撮像装置において、
前記焦点位置検出装置による測距結果を用いて合焦制御動作を実行する合焦制御手段、
をさらに備え、
前記焦点位置検出装置は、
前記第１のモニタセンサの出力値が所定値に到達したことを検出して、前記第１の測距センサ対の受光素子における露光動作を終了させる露光自動終了回路、
をさらに有し、
前記露光自動終了回路は、前記第１の測距センサ対の受光素子における前記複数回の露光動作を、それぞれ、前記第１のモニタセンサの出力値が前記所定値に到達したことに応答して終了させ、
前記合焦制御手段は、
前記第２の測距センサ対の受光素子における第ｍ回目の露光動作を、前記第１のモニタセンサの出力値が前記所定値に到達したことに応答して終了させ、
前記第２の測距センサ対の受光素子における第（ｍ＋１）回目の露光動作の露光時間を、第ｍ回目の露光動作における前記第２の測距センサ対の受光素子の出力値に基づいて決定する、撮像装置。
【請求項７】
焦点位置検出装置であって、
第１の測距センサ対と第２の測距センサ対とを含む複数の測距センサ対と、
前記第１の測距センサ対のうちの一方の測距センサに対応する位置に設けられた第１のモニタセンサと、
を備え、
前記複数の測距センサ対の受光素子は複数回の露光動作を実行し、
前記第１の測距センサ対の受光素子における前記複数回の露光動作の露光時間は、それぞれ、前記第１のモニタセンサの出力値に基づいて制御され、
前記第２の測距センサ対の受光素子における第１回目の露光動作の露光時間は、前記第１のモニタセンサの出力値に基づいて制御され、
前記第２の測距センサ対の受光素子における第（ｍ＋１）回目（ただし、ｍは或る自然数）の露光動作の露光時間は、第ｍ回目の露光動作における前記第２の測距センサ対の受光素子の出力値に基づいて制御される、焦点位置検出装置。
【請求項８】
撮像装置であって、
位相差方式の焦点位置検出装置と、
前記焦点位置検出装置による測距結果を用いて合焦制御動作を実行する合焦制御手段と、
を備え、
前記焦点位置検出装置は、
第１の測距センサ対と第２の測距センサ対とを含む複数の測距センサ対と、
前記第１の測距センサ対のうちの一方の測距センサに対応する位置に設けられた第１のモニタセンサと、
前記第２の測距センサ対のうちの一方の測距センサに対応する位置に設けられた第２のモニタセンサと、
を有し、
前記複数の測距センサ対の受光素子は複数回の露光動作を実行し、
前記第１の測距センサ対の受光素子における前記複数回の露光動作の露光時間は、それぞれ、前記第１のモニタセンサの出力値に基づいて制御され、
前記第２の測距センサ対の受光素子における第ｍ回目（ただし、ｍは或る自然数）の露光動作の露光時間は、前記第１のモニタセンサの出力値に基づいて制御され、
前記第２の測距センサ対の受光素子における第（ｍ＋１）回目の露光動作の露光時間は、第ｍ回目の露光動作における前記第２のモニタセンサの出力値に基づいて制御される、撮像装置。
【請求項９】
請求項８に記載の撮像装置において、
前記第１の測距センサ対の受光素子における前記複数回の露光動作は、それぞれ、前記第１のモニタセンサの出力値が所定値に到達したことに応答して終了し、
前記第２の測距センサ対の受光素子における第ｍ回目の露光動作は、前記第１のモニタセンサの出力値が前記所定値に到達したことに応答して終了し、
前記第２の測距センサ対の受光素子における第（ｍ＋１）回目の露光動作の露光時間は、第ｍ回目の露光動作における前記第２のモニタセンサの出力値と第ｍ回目の露光動作における前記第１のモニタセンサの出力値とに基づいて決定される、撮像装置。
【請求項１０】
焦点位置検出装置であって、
第１の測距センサ対と第２の測距センサ対とを含む複数の測距センサ対と、
前記第１の測距センサ対のうちの一方の測距センサに対応する位置に設けられた第１のモニタセンサと、
前記第２の測距センサ対のうちの一方の測距センサに対応する位置に設けられた第２のモニタセンサと、
を備え、
前記複数の測距センサ対の受光素子は複数回の露光動作を実行し、
前記第１の測距センサ対の受光素子における前記複数回の露光動作の露光時間は、それぞれ、前記第１のモニタセンサの出力値に基づいて制御され、
前記第２の測距センサ対の受光素子における第ｍ回目（ただし、ｍは或る自然数）の露光動作の露光時間は、前記第１のモニタセンサの出力値に基づいて制御され、
前記第２の測距センサ対の受光素子における第（ｍ＋１）回目の露光動作の露光時間は、第ｍ回目の露光動作における前記第２のモニタセンサの出力値に基づいて制御される、焦点位置検出装置。
【請求項１１】
撮像装置であって、
位相差方式の焦点位置検出装置と、
前記焦点位置検出装置による測距結果を用いて合焦制御動作を実行する合焦制御手段と、
を備え、
前記焦点位置検出装置は、
第１の測距センサ対と第２の測距センサ対とを含む複数の測距センサ対と、
前記第１の測距センサ対のうちの一方の測距センサに対応する位置に設けられた第１のモニタセンサと、
を有し、
前記第１の測距センサ対における受光素子の露光動作は、前記第１のモニタセンサの出力値に基づいて制御され、
前記第２の測距センサ対における受光素子の露光動作は、前記第１のモニタセンサの出力値に基づいて制御される、撮像装置。
【請求項１２】
請求項１１に記載の撮像装置において、
前記複数の測距センサ対における受光素子は、複数回の露光動作を実行し、
前記第１の測距センサ対の受光素子における前記複数回の露光動作は、それぞれ、前記第１のモニタセンサの出力値が所定値に到達したことに応答して終了し、
前記第２の測距センサ対の受光素子における前記複数回の露光動作は、それぞれ、前記第１のモニタセンサの出力値が前記所定値に到達したことに応答して終了する、撮像装置。
【請求項１３】
焦点位置検出装置であって、
第１の測距センサ対と第２の測距センサ対とを含む複数の測距センサ対と、
前記第１の測距センサ対のうちの一方の測距センサに対応する位置に設けられた第１のモニタセンサと、
を備え、
前記第１の測距センサ対における受光素子の露光動作は、前記第１のモニタセンサの出力値に基づいて制御され、
前記第２の測距センサ対における受光素子の露光動作は、前記第１のモニタセンサの出力値に基づいて制御される、焦点位置検出装置。